(57)【要約】 【課題】  ペンが位置エンコード液晶ディスプレイパネルに完全に接触しなくても位置エンコード液晶ディスプレイパネル上のペンの位置を確実に認識することができる位置エンコード液晶ディスプレイパネルを提供すること。【解決手段】  透明前面パネル、前記透明前面パネルの前面内部に形成された透明材料からなる光散乱形状部、及び、該光散乱形状部の裏面を光反射材料で被覆してなる光反射層、を含む位置エンコード液晶ディスプレイパネルであって、前記光反射層には、前記透明前面パネル上における位置情報を発信可能な位置情報発信部分が形成されており、前記光散乱形状部は、入射光を散乱させる形状に形成される位置エンコード液晶ディスプレイパネル。【選択図】      図３
2005215676.tif 000002
【特許請求の範囲】
【請求項１】
透明前面パネル、
前記透明前面パネルの前面内部に形成された透明材料からなる光散乱形状部、及び、
該光散乱形状部の裏面を光反射材料で被覆してなる光反射層、
を含む位置エンコード液晶ディスプレイパネルであって、
前記光反射層には、前記透明前面パネル上における位置情報を発信可能な位置情報発信部分が形成されており、
前記光散乱形状部は、入射光を散乱させる形状に形成されることを特徴とする位置エンコード液晶ディスプレイパネル。
【請求項２】
前記光反射層の下に遮光層が形成されることを特徴とする請求項１に記載の位置エンコード液晶ディスプレイパネル。
【請求項３】
前記透明前面パネルの表面の隣接する前記光反射層間に、カラーフィルターが設けられることを特徴とする請求項１又は請求項２に記載の位置エンコード液晶ディスプレイパネル。
【請求項４】
前記光散乱形状部は、1本以上の断面半円状又は断面多角形状の溝状物からなる形状であることを特徴とする請求項１〜請求項３のいずれか１項に記載の位置エンコード液晶ディスプレイパネル。
【請求項５】
透明前面パネルの表面の少なくとも一部に透明材料からなる光散乱形状部を形成する光散乱形状部形成ステップ、及び、
前記光散乱形状部の表面の少なくとも一部を光反射材料で被覆して光反射層を形成する光反射層形成ステップを含むことを特徴とする反射光散乱構造物の製造方法。
【請求項６】
前記光散乱形状部形成ステップは、
前記透明前面パネルの表面の少なくとも一部を前記透明材料で被覆して透明膜層を形成する透明膜層形成ステップ、及び、
前記透明膜層の少なくとも一部の表面を部分的に除去して前記光散乱形状部を形成する透明膜層エッチングステップからなることを特徴とする請求項５に記載の反射光散乱構造物の製造方法。
【請求項７】
前記光散乱形状部形成ステップは、前記透明前面パネルの表面を部分的に除去して前記光散乱形状部を形成する透明前面パネルエッチングステップであることを特徴とする請求項５に記載の反射光散乱構造物の製造方法。
【請求項８】
前記光反射層形成ステップの後に、さらに、前記光反射層の表面に遮光層を形成する遮光層形成ステップを含むことを特徴とする請求項５〜請求項７のいずれか１項に記載の反射光散乱構造物の製造方法。
【請求項９】
前記遮光層形成ステップの後に、さらに、前記遮光層が形成されていない部分に複数のカラーフィルターを配置するカラーフィルター配置ステップを含むことを特徴とする請求項８に記載の反射光散乱構造物の製造方法。
【発明の詳細な説明】
【技術分野】
【０００１】
本発明は、反射光散乱構造物を備える位置エンコード液晶ディスプレイパネルと反射光散乱構造物の製造方法に関するものである。
【背景技術】
【０００２】
フラットディスプレイは、電子産業で非常に広く用いられており、ノート型パソコン、パソコンのディスプレイ、特に、例えばＰＤＡなどの携帯用デバイス等に用いられている。該フラットディスプレイにおいて、ディスプレイ上のペンの位置を検出するものとしては、位置感知液晶ディスプレイ（Ｐｏｓｉｔｉｏｎ  Ｓｅｎｓｉｂｌｅ  Ｌｉｑｕｉｄ  Ｃｒｙｓｔａｌ  Ｄｉｓｐｌａｙ；  以下、ＰＳＬＣＤと称す）が知られている。ＰＳＬＣＤは、位置エンコード液晶ディスプレイパネルの背面に網状金属線からなるセンサーボードの集合体である電磁デジタイザ層が形成され、ペンが直接、位置エンコード液晶ディスプレイパネルに接触することにより、位置エンコード液晶ディスプレイパネル上の位置を認識するものである。しかし、該ＰＳＬＣＤは、複雑な構造をしており、また多くの制御回路を必要とすることから、フラットディスプレイが厚くなったり、大きくなったりするという問題があった。
【０００３】
【特許文献１】特開２０００−１７２４３７号公報（第１頁）
【発明の開示】
【発明が解決しようとする課題】
【０００４】
本発明の目的は、ペンが位置エンコード液晶ディスプレイパネルに完全に接触しなくても位置エンコード液晶ディスプレイパネル上のペンの位置を確実に認識することができる位置エンコード液晶ディスプレイパネルを提供することにある。
【課題を解決するための手段】
【０００５】
本発明（１）は、透明前面パネル、前記透明前面パネルの前面内部に形成された透明材料からなる光散乱形状部、及び、該光散乱形状部の裏面を光反射材料で被覆してなる光反射層、を含む位置エンコード液晶ディスプレイパネルであって、前記光反射層には、前記透明前面パネル上における位置情報を発信可能な位置情報発信部分が形成されており、前記光散乱形状部は、入射光を散乱させる形状に形成されることを特徴とする位置エンコード液晶ディスプレイパネルを提供するものである。
【０００６】
本発明（２）は、本発明（１）において、前記光反射層の下に遮光層が形成されることを特徴とする位置エンコード液晶ディスプレイパネルを提供するものである。
【０００７】
本発明（３）は、本発明（１）又は本発明（２）において、前記透明前面パネルの表面の隣接する前記光反射層間に、カラーフィルターが設けられることを特徴とする位置エンコード液晶ディスプレイパネルを提供するものである。
【０００８】
本発明（４）は、本発明（１）〜本発明（３）のいずれかにおいて、前記光散乱形状部は、1本以上の断面半円状又は断面多角形状の溝状物からなる形状であることを特徴とする位置エンコード液晶ディスプレイパネルを提供するものである。
【０００９】
本発明（５）は、透明前面パネルの表面の少なくとも一部に透明材料からなる光散乱形状部を形成する光散乱形状部形成ステップ、及び、前記光散乱形状部の表面の少なくとも一部を光反射材料で被覆して光反射層を形成する光反射層形成ステップを含むことを特徴とする反射光散乱構造物の製造方法を提供するものである。
【００１０】
本発明（６）は、本発明（５）において、前記光散乱形状部形成ステップは、前記透明前面パネルの表面の少なくとも一部を前記透明材料で被覆して透明膜層を形成する透明膜層形成ステップ、及び、前記透明膜層の少なくとも一部の表面を部分的に除去して前記光散乱形状部を形成する透明膜層エッチングステップからなることを特徴とする反射光散乱構造物の製造方法を提供するものである。
【００１１】
本発明（７）は、本発明（５）において、前記光散乱形状部形成ステップは、前記透明前面パネルの表面を部分的に除去して前記光散乱形状部を形成する透明前面パネルエッチングステップであることを特徴とする反射光散乱構造物の製造方法を提供するものである。
【００１２】
本発明（８）は、本発明（５）〜本発明（７）のいずれかにおいて、前記光反射層形成ステップの後に、さらに、前記光反射層の表面に遮光層を形成する遮光層形成ステップを含むことを特徴とする反射光散乱構造物の製造方法を提供するものである。
【００１３】
本発明（９）は、本発明（８）において、前記遮光層形成ステップの後に、さらに、前記遮光層が形成されていない部分に複数のカラーフィルターを配置するカラーフィルター配置ステップを含むことを特徴とする反射光散乱構造物の製造方法を提供するものである。
【発明の効果】
【００１４】
本発明に係る位置エンコード液晶ディスプレイパネルによれば、位置認識ペンから出光された赤外線又は紫外線の反射光中に含まれる位置情報を位置認識ペンが容易に検出することができるため、位置認識ペンが位置エンコード液晶ディスプレイパネルに完全に接触しなくても位置エンコード液晶ディスプレイパネル上のペンの位置を確実に認識することができる。
【発明を実施するための最良の形態】
【００１５】
本発明についての目的、特徴、長所が一層明確に理解されるよう、以下に実施形態を例示し、図面を参照しながら、詳細に説明する。
【実施例】
【００１６】
図１は、本発明に係る位置エンコード液晶ディスプレイ（ＰＥＬＣＤ）パネルを用いたフラットディスプレイ装置の模式的な斜視図である。該フラットディスプレイ装置１０は、位置エンコード液晶ディスプレイパネル（ＰＥＬＣＤパネル）１１と位置認識ペン１３とからなる。ＰＥＬＣＤパネル１１は、その表面内部に透明材料からなる光散乱形状部が形成され、該光散乱形状部の裏面に光反射材料からなる光反射層が形成される。光反射層には、位置エンコード液晶ディスプレイパネル上における位置情報を発信可能な位置情報発信部分１２が形成されている。位置情報発信部分１２は、光反射層を構成する光反射材料により形成されており、該光反射材料の形状又は性状を各位置情報発信部分１２に特有のものになるように、部分的に除去等で光反射層の一部の表面形状を加工したり、光反射層の一部を磁気、レーザー等を用いて位置情報の書き込み又は書き換え可能なように形成したりすることにより形成される。光散乱形状部及び光反射層は、位置認識ペン１３から出光される赤外線又は紫外線を散乱させる構造、例えば、凹面鏡のような断面を有する断面半円状の溝状物からなる光散乱形状部と該光散乱形状部裏面を被覆する光反射層とを有する構造に形成されている。
【００１７】
位置認識ペン１３は、赤外線又は紫外線等の光を出光し受光するものであり、例えば、赤外線又は紫外線の光波の送信機と受信機を備える、いわゆるデジタルペンが用いられる。また、位置認識ペン１３は、図示しない処理装置に接続され、受光した赤外線又は紫外線中に含まれる位置情報を無線又は有線で処理装置に伝送すると共に、処理装置で処理された位置情報を処理装置から受けることができるようになっている。
【００１８】
図２は、本発明に係るＰＥＬＣＤパネルとバックライトユニットとからなるＰＥＬＣＤパネルユニットの断面図を示す。ＰＥＬＣＤパネルユニット２０は、ＰＥＬＣＤパネル２２とバックライトユニット２１からなり、ＰＥＬＣＤパネル２２には、例えば、偏光フィルター等の偏光板層２３が形成される。偏光板層２３は、その偏光作用により、後述の光散乱形状部２４ａ及び光反射層２６に放射された赤外線又は紫外線の反射光を散乱させることができるため、位置認識ペン１３が反射光に含まれる位置情報を容易に認識できるようにするものである。
【００１９】
ＰＥＬＣＤパネル２２は、図２中、偏光板層２３の下方に、後述の透明前面パネル２４、光散乱形状部２４ａ、光反射層２６、遮光層２５及びカラーフィルター２７からなる反射光散乱構造物が形成されている。透明前面パネル２４は、例えば、ガラス、透明プラスチック等の公知の透明材料から形成される。光散乱形状部２４ａは、透明前面パネル２４の一部が、図２中の下方に突出するように形成されたものである。光散乱形状部２４ａは、各光散乱形状部２４ａが、断面半円状の溝状物が５本隣接して形成されたものになっており、図２中の下方の表面に形成される後述の光反射層２６で反射された赤外線又は紫外線（図２中、ＩＲ）が、図２中の上方（図２中、ＩＲｒｅｆ）に対して散乱されるようになっている。光反射層２６は、クロム、アルミニウム及び銀等の金属材料その他の光を反射できる光反射材料により形成される。
【００２０】
光反射層２６には、位置エンコード液晶ディスプレイパネル上における位置情報を発信可能な位置情報発信部分が形成されている。位置情報発信部分は、光反射層２６を構成する光反射材料により形成されており、該光反射材料の形状又は性状を各位置情報発信部分に特有のものになるように、部分的に除去等で光反射層２６の一部の表面形状を加工したり、光反射層２６の一部を磁気、レーザー等を用いて位置情報の書き込み又は書き換え可能なように形成したりすることにより形成される。
【００２１】
遮光層２５は、例えば、金属、高反射率材料等で形成される遮光マスクである。ＰＥＬＣＤパネル２２は、隣接する光反射層２６、２６間にカラーフィルター２７が配置されている。カラーフィルター２７としては、赤色カラーフィルター、緑色カラーフィルター及び青色カラーフィルターが用いられる。
【００２２】
図３は、本発明に係るＰＥＬＣＤパネルの拡大断面図である。ＰＥＬＣＤパネル３０は、上記ＰＥＬＣＤパネル２２と略同様の構造を有するが、ＰＥＬＣＤパネル２２の光散乱形状部２４ａが透明前面パネル２４と一体であるのに対し、ＰＥＬＣＤパネル３０の光散乱形状部３２は透明前面パネル３１と別体である点が異なっている。
【００２３】
ＰＥＬＣＤパネル３０は、後述の透明前面パネル３１、光散乱形状部３２、光反射層３３、遮光層３４及びカラーフィルター３５からなる反射光散乱構造物３６を含むものである。
【００２４】
透明前面パネル３１は、例えば、ガラス及びプラスチック等の公知の透明材料により形成される。光散乱形状部３２は、透明前面パネル３１の図３中の下方の面、すなわち、透明前面パネル３１の裏面の一部に図３中の下方に突出するように形成される。光散乱形状部３２は、各光散乱形状部３２が、断面半円状の溝状物が５本隣接して形成されたものになっており、図３中の下方の表面に形成される後述の光反射層３３で反射された赤外線又は紫外線（図３中、ＩＲ）が、図３中の上方に散乱されるようになっている。光散乱形状部３２は、透明前面パネル３１と同様に、例えば、ガラス及びプラスチック等の公知の透明材料により形成される。光散乱形状部３２と透明前面パネル３１とは同一材料であってもよいし、異なる材料であってもよいが、同一材料であると光の屈折率や熱膨張率等が同一であるため好ましい。なお、本発明において、光散乱形状部の形態は、光散乱形状部３２の断面半円状の溝状物の形態に限られるものでなく、入射光を散乱させることができる形状のものであればよい。このような形状としては、例えば、断面三角形状の溝状物等の断面多角形状の溝状物が挙げられる。
【００２５】
本発明では、光散乱形状部がこのような形態であることにより、後述の光反射層３３が形成されるとその部分で位置認識ペンから出光される赤外線又は紫外線が散乱され、該散乱された赤外線又は紫外線に含まれる位置エンコード液晶ディスプレイパネル上における位置情報を位置認識ペンが容易に認識できるようになっている。
【００２６】
ＰＥＬＣＤパネル３０は、光散乱形状部３２の裏面、すなわち、図３中の下方の表面を被覆するように光反射層３３が形成されており、光散乱形状部３２への入射光を図３中の上方に散乱させるようになっている。光反射層３３は、クロム、アルミニウム及び銀等の金属材料その他の光を反射できる光反射材料により形成される。
【００２７】
光反射層３３には、位置エンコード液晶ディスプレイパネル上における位置情報を発信可能な位置情報発信部分が形成されている。位置情報発信部分は、光反射層３３を構成する光反射材料により形成されており、該光反射材料の形状又は性状を各位置情報発信部分に特有のものになるように、部分的に除去等で光反射層３３の一部の表面形状を加工したり、光反射層３３の一部を磁気、レーザー等を用いて位置情報の書き込み又は書き換え可能なように形成したりすることにより形成される。
【００２８】
ＰＥＬＣＤパネル３０は、光反射層３３の裏面、すなわち、図３中の下方の表面に遮光層３４が形成されている。遮光層３４は、例えば、金属、高反射率材料等で形成される遮光マスクである。
【００２９】
ＰＥＬＣＤパネル３０は、隣接する光反射層３３、３３間にカラーフィルター３５が配置されている。カラーフィルター３５としては、赤色カラーフィルター、緑色カラーフィルター及び青色カラーフィルターが用いられる。
【００３０】
図４は、本発明に係るＰＥＬＣＤパネル６０の拡大断面図である。ＰＥＬＣＤパネル６０は、上記ＰＥＬＣＤパネル３０と略同様の構造を有するが、ＰＥＬＣＤパネル３０の光散乱形状部３２が透明前面パネル３１の一部に形成されているのに対し、ＰＥＬＣＤパネル６０の光散乱形状部６７は透明前面パネル６２の全面に形成されて点が異なっている。ＰＥＬＣＤパネル６０は、この相違点以外はＰＥＬＣＤパネル３０と同様であるため、ＰＥＬＣＤパネル３０と同様の部分については、適宜、説明を省略する。
【００３１】
ＰＥＬＣＤパネル６０は、後述の透明前面パネル６２、光散乱形状部６７、光反射層６３、遮光層６４及びカラーフィルター６８からなる反射光散乱構造物６１を含むものである。
【００３２】
透明前面パネル６２は、例えば、ガラス及びプラスチック等の公知の透明材料により形成される。光散乱形状部６７は、透明前面パネル６２の図４中の下方の面、すなわち、透明前面パネル６２の裏面の全面に図４中の下方に突出するように形成される。光散乱形状部６７は、隣接する光散乱形状部６７が、連続する断面半円状の溝状物で形成されたものになっており、図４中の下方の表面に形成される後述の光反射層６３で反射された赤外線又は紫外線（図４中、ＩＲ）が、図４中の上方に散乱されるようになっている。光散乱形状部６７は、透明前面パネル６２と同様に、例えば、ガラス及びプラスチック等の公知の透明材料により形成される。光散乱形状部６７と透明前面パネル６２とは同一材料であってもよいし、異なる材料であってもよいが、同一材料であると光の屈折率や熱膨張率等が同一であるため好ましい。なお、本発明において、光散乱形状部の形態は、光散乱形状部６７の断面半円状の溝状物の形態に限られるものでなく、入射光を散乱させることができる形状のものであればよい。このような形状としては、例えば、断面三角形状の溝状物等の断面多角形状の溝状物が挙げられる。
【００３３】
本発明では、光散乱形状部がこのような形態であることにより、後述の光反射層６３が形成された部分で位置認識ペンから出光される赤外線又は紫外線が散乱され、該散乱された赤外線又は紫外線に含まれる位置エンコード液晶ディスプレイパネル上における位置情報を位置認識ペンが容易に認識できるようになっている。
【００３４】
ＰＥＬＣＤパネル６０は、光散乱形状部６７の裏面、すなわち、図４中の下方の表面の一部を被覆するように光反射層６３が形成されており、その部分で光散乱形状部６７への入射光を図４中の上方に散乱させるようになっている。ＰＥＬＣＤパネル６０は、上記ＰＥＬＣＤパネル３０と異なり、光散乱形状部６７が透明前面パネル６２の全面に形成されているため、光反射層６３は光散乱形状部６７の一部のみを被覆するように形成されている。光反射層６３は、クロム、アルミニウム及び銀等の金属材料その他の光を反射できる光反射材料により形成される。
【００３５】
光反射層６３には、位置エンコード液晶ディスプレイパネル上における位置情報を発信可能な位置情報発信部分が形成されている。位置情報発信部分は、光反射層６３を構成する光反射材料により形成されており、該光反射材料の形状又は性状を各位置情報発信部分に特有のものになるように、部分的に除去等で光反射層６３の一部の表面形状を加工したり、光反射層６３の一部を磁気、レーザー等を用いて位置情報の書き込み又は書き換え可能なように形成したりすることにより形成される。
【００３６】
ＰＥＬＣＤパネル６０は、光反射層６３の裏面、すなわち、図４中の下方の表面に遮光層６４が形成されている。遮光層６４は、例えば、金属、高反射率材料等で形成される遮光マスクである。
【００３７】
図４を参照してＰＥＬＣＤパネル６０を用いた場合の位置エンコード液晶ディスプレイパネル上における位置情報の認識作用を説明する。まず、図示しない位置認識ペンからＰＥＬＣＤパネル６０の表面に赤外線又は紫外線６５を出光する。次に、ＰＥＬＣＤパネル６０に入射された赤外線又は紫外線６５は、光散乱形状部６７を被覆する光反射層６３で散乱されてＰＥＬＣＤパネル６０の表面から反射光６６として出光する。この際、反射光６６は光反射層６３中の位置情報発信部分から発信される位置情報を含んでいる。位置認識ペンは該反射光６６を受光すると、反射光６６中の位置情報を取り出して、該位置情報を図示しない処理装置に有線又は無線で送信し、処理装置で演算することにより位置認識ペンの位置エンコード液晶ディスプレイパネル上における位置情報が認識されるようになっている。なお、ＰＥＬＣＤパネル６０は赤外線又は紫外線を用いて位置エンコード液晶ディスプレイパネル上における位置情報を認識するため、位置認識ペンが位置エンコード液晶ディスプレイパネルの表面に直接に接触する必要はない。すなわち、位置認識ペンは、位置エンコード液晶ディスプレイパネルの表面に直接にも接触していてもよいし、接触していなくてもよい。
【００３８】
図５〜図８は、本発明に係る反射光散乱構造物の製造方法の第１の実施形態を説明する透明前面パネルの模式的な側面図である。図５は、透明前面パネル４１の模式的な側面図であり、後述の光散乱形状部形成ステップに用いられる材料を示すものである。透明前面パネル４１は、例えば、ガラス、透明プラスチック等の公知の透明材料から形成される板状物である。
【００３９】
図６は、光散乱形状部形成ステップの一部である光散乱形状部形成ステップを説明する透明前面パネル４１等の模式的な側面図である。「光散乱形状部形成ステップ」は、透明前面パネルの表面の少なくとも一部に透明材料からなる光散乱形状部を形成するステップであり、光散乱形状部を形成することができるステップであればどのようなものであってもよい。該「光散乱形状部形成ステップ」としては、例えば、透明前面パネルの表面を透明材料で被覆して透明膜層を形成するステップ（透明膜層形成ステップ）と、透明膜層の少なくとも一部の表面を部分的に除去して光散乱形状部を形成するステップ（透明膜層エッチングステップ）との２つのステップからなるステップや、透明前面パネルの表面を部分的に除去して光散乱形状部を形成するステップ（透明前面パネルエッチングステップ）の１つのステップからなるステップを採用することができる。
【００４０】
図６に示す光散乱形状部形成ステップは、透明前面パネル４１の表面の一部を透明材料で被覆して透明膜層４２を形成する。透明膜層４２は、ガラス及びプラスチック等の公知の透明材料を用いて形成することができ、例えば、透明前面パネル４１の表面の一部にスピンコータマシーンを用いて樹脂を塗布し硬化させて透明膜層を得る方法や、透明前面パネル４１の表面全面にスパッタリングして透明膜層を得る方法により形成される。
【００４１】
図７は、光散乱形状部形成ステップの一部である透明膜層エッチングステップを説明する透明前面パネル４１等の模式的な側面図である。図７において、透明膜層４２は、その表面の一部が部分的に除去されて、光散乱形状部４３が形成されている。光散乱形状部４３は、それぞれが断面半円状の溝状物５本が隣接して形成された集合体の形状に形成されている。なお、本発明で用いられる光散乱形状部の形状は、光散乱形状部４３の断面半円状の溝状物の形態に限られるものでなく、例えば、断面三角形状の溝状物等の断面多角形状の溝状物であってもよい。透明膜層の表面の一部を部分的に除去する方法としては、例えば、透明膜層４２の表面にフォトレジストを塗布、硬化させた後、化学的にエッチングする方法や、プラズマやイオンビームを用いて透明膜層４２の表面を破壊する方法が挙げられる。
【００４２】
図８は、光反射層形成ステップを説明する透明前面パネル４１等の模式的な側面図である。図８において、光散乱形状部４３の表面は光反射材料で被覆されて光反射層４４が形成されている。光反射層４４は、クロム、アルミニウム及び銀等の金属材料その他の光を反射できる光反射材料により形成される。なお、図８において、光反射層４４は、光散乱形状部４３の表面を被覆して形成される表面を平坦に形成しているが、本発明において、光反射層４４の表面が平坦である必要はない。ただし、光反射層４４の表面が平坦であると、必要に応じて該層の上にさらに遮光層を設ける場合に遮光層を形成しやすいため好ましい。
【００４３】
なお、本発明では、上記光反射層形成ステップの後に、さらに、光反射層の表面に金属、高反射率材料等を用いて遮光層を形成する遮光層形成ステップを含んでいてもよい。また、本発明では、該遮光層形成ステップの後に、さらに、遮光層が形成されていない部分に複数のカラーフィルターを配置するカラーフィルター配置ステップを含んでいてもよい。
【００４４】
図９〜図１１は、本発明に係る反射光散乱構造物の製造方法の第２の実施形態を説明する透明前面パネルの模式的な側面図である模式的な側面図である。図９は、透明前面パネル５１の模式的な側面図であり、後述の光散乱形状部形成ステップに用いられる材料を示すものである。透明前面パネル５１は、例えば、ガラス、透明プラスチック等の公知の透明材料から形成される板状物である。
【００４５】
図１０は、光散乱形状部形成ステップが透明前面パネルエッチングステップである場合を説明する透明前面パネル５１等の模式的な側面図である。図１０において、透明前面パネル５１は、その表面の一部５４が部分的に除去されることにより光散乱形状部５２が形成されている。光散乱形状部５２は、断面半円状の溝状物が隣接して連続的に形成された集合体の形状に形成されている。なお、本発明で用いられる光散乱形状部の形状は、光散乱形状部５２の断面半円状の溝状物の形態に限られるものでなく、例えば、断面三角形状の溝状物等の断面多角形状の溝状物であってもよい。透明前面パネル５１の表面の一部を部分的に除去する方法としては、例えば、透明前面パネル５１の表面をサンドペーパーや表面粗度が高い硬質板でこする方法、透明前面パネル５１の表面にフォトレジストを塗布、硬化させた後、化学的にエッチングする方法や、プラズマやイオンビームを用いて透明前面パネル５１の表面を破壊する方法が挙げられる。該方法では、透明前面パネル５１の表面全面に光散乱形状部５２を形成するため、本発明に係る反射光散乱構造物の製造方法の第１の実施形態に比べて、製造が容易になる。
【００４６】
図１１は、光反射層形成ステップを説明する透明前面パネル５１等の模式的な側面図である。図１１において、光散乱形状部５２の表面の一部が光反射材料で被覆されて光反射層５３が形成されている。光反射層５３は、クロム、アルミニウム及び銀等の金属材料その他の光を反射できる光反射材料により形成される。なお、図１１において、光反射層５３は、光散乱形状部５２の表面を被覆して形成される表面を平坦に形成しているが、本発明において、光反射層５３の表面が平坦である必要はない。ただし、光反射層５３の表面が平坦であると、必要に応じて該層の上にさらに遮光層を設ける場合に遮光層を形成し易いため好ましい。
【００４７】
なお、本発明では、上記光反射層形成ステップの後に、さらに、光反射層の表面に金属、高反射率材料等を用いて遮光層を形成する遮光層形成ステップを含んでいてもよい。また、本発明では、該遮光層形成ステップの後に、さらに、遮光層が形成されていない部分に複数のカラーフィルターを配置するカラーフィルター配置ステップを含んでいてもよい。
【００４８】
なお、透明前面パネル、光散乱形状部、光反射層及び遮光層は隣接する位置、例えばこの順番に積層された構造を呈するが、本発明では、これらの部材又は層の間に適宜、中間層を形成してもよい。
【００４９】
以上、本発明の好適な実施例を例示したが、これは本発明を限定するものではなく、本発明の精神及び範囲を逸脱しない限りにおいては、当業者であれば行い得る少々の変更や修飾を付加することは可能である。
【図面の簡単な説明】
【００５０】
【図１】本発明に係るＰＥＬＣＤパネルを用いたフラットディスプレイ装置の模式的な斜視図である。
【図２】本発明に係るＰＥＬＣＤパネルとバックライトユニットとからなるＰＥＬＣＤパネルユニットの断面図である。
【図３】本発明に係るＰＥＬＣＤパネルの拡大断面図である。
【図４】本発明に係るＰＥＬＣＤパネルの拡大断面図である。
【図５】本発明に係る反射光散乱構造物の製造方法の第１の実施形態を説明する透明前面パネルの模式的な側面図である。
【図６】本発明に係る反射光散乱構造物の製造方法の第１の実施形態を説明する透明前面パネル等の模式的な側面図である。
【図７】本発明に係る反射光散乱構造物の製造方法の第１の実施形態を説明する透明前面パネル等の模式的な側面図である。
【図８】本発明に係る反射光散乱構造物の製造方法の第１の実施形態を説明する透明前面パネル等の模式的な側面図である。
【図９】本発明に係る反射光散乱構造物の製造方法の第２の実施形態を説明する透明前面パネルの模式的な側面図である。
【図１０】本発明に係る反射光散乱構造物の製造方法の第２の実施形態を説明する透明前面パネル等の模式的な側面図である。
【図１１】本発明に係る反射光散乱構造物の製造方法の第２の実施形態を説明する透明前面パネル等の模式的な側面図である。
【符号の説明】
【００５１】
１０  フラットディスプレイ装置
２０  ＰＥＬＣＤパネルユニット
３０、６０  ＰＥＬＣＤパネル
１１  位置エンコード液晶ディスプレイパネル
１２  位置情報
１３  位置認識ペン
２１  バックライトユニット
２２  ＰＥＬＣＤパネル
２３  偏光板層
２４、３１、４１、５１、６２  透明前面パネル
２４ａ  光散乱形状部
３６、６１  反射光散乱構造物
２５、３４、６４  遮光層
２６、３３、４４、５３、６３  光反射層
２７、３５、６８  カラーフィルター
２８  液晶層
３２、４３、５２、６７  光散乱形状部
４２  透明膜層
６５  赤外線
６６  反射光
【図１】
2005215676.tif 000003
【図２】
2005215676.tif 000004
【図３】
2005215676.tif 000005
【図４】
2005215676.tif 000006
【図５】
2005215676.tif 000007
【図６】
2005215676.tif 000008
【図７】
2005215676.tif 000009
【図８】
2005215676.tif 000010
【図９】
2005215676.tif 000011
【図１０】
2005215676.tif 000012
【図１１】
2005215676.tif 000013